【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
不特定のユーザがアクセスできるマクロセルと、特定のユーザしかアクセスできないクローズドセルとが混在する移動通信システムで使用されるユーザ装置であって、
在圏セルからの信号の品質をアイドル状態で測定する手段と、
隣接セルからの信号の品質を測定する手段と、
測定結果に応じてセル再選択を行う手段と、
を有し、マクロセルの周波数とクローズドセルの周波数が同じであった場合において、所定の再選択条件が満たされた場合、在圏セルに隣接するクローズドセルが待受を行うセルとして再選択され、前記所定の再選択条件は、前記クローズドセルからの信号の品質が、前記在圏セルからの信号の品質より所定の閾値以上良い状態が、所定の再選択期間以上続くことであり、
マクロセルの周波数とクローズドセルの周波数が異なっていた場合において、所定の適性条件が満たされた場合、在圏セルに隣接するクローズドセルが待受を行うセルとして再選択され、前記所定の適性条件は、前記クローズドセルからの信号の品質が、所定の閾値以上であることである、ユーザ装置。
【請求項２】
前記再選択条件が満たされたか否かを確認する前に、前記クローズドセルが当該ユーザ装置にとってアクセス可能か否かが確認される請求項１記載のユーザ装置。
【請求項３】
前記再選択条件が満たされたか否かを確認した後に、前記クローズドセルが当該ユーザ装置にとってアクセス可能か否かが確認される請求項１記載のユーザ装置。
【請求項４】
隣接セルからの信号の品質を測定する前記手段は、在圏セルからの信号の品質が所定の閾値を下回った場合に、隣接セルからの信号の品質を測定する、請求項１ないし３の何れか１項に記載のユーザ装置。
【請求項５】
不特定のユーザがアクセスできるマクロセルと、特定のユーザしかアクセスできないクローズドセルとが混在する移動通信システムにおけるユーザ装置で使用される方法であって、
在圏セルからの信号の品質をアイドル状態で測定するステップと、
隣接セルからの信号の品質を測定するステップと、
測定結果に応じてセル再選択を行うステップと、
を有し、マクロセルの周波数とクローズドセルの周波数が同じであった場合において、所定の再選択条件が満たされた場合、在圏セルに隣接するクローズドセルが待受を行うセルとして再選択され、前記所定の再選択条件は、前記クローズドセルからの信号の品質が、前記在圏セルからの信号の品質より所定の閾値以上良い状態が、所定の再選択期間以上続くことであり、
マクロセルの周波数とクローズドセルの周波数が異なっていた場合において、所定の適性条件が満たされた場合、在圏セルに隣接するクローズドセルが待受を行うセルとして再選択され、前記所定の適性条件は、前記クローズドセルからの信号の品質が、所定の閾値以上であることである、方法。
【請求項６】
不特定のユーザがアクセスできるマクロセルと、特定のユーザしかアクセスできないクローズドセルとが混在する移動通信システムであって、当該移動通信システムで使用されるユーザ装置は、
在圏セルからの信号の品質をアイドル状態で測定する手段と、
隣接セルからの信号の品質を測定する手段と、
測定結果に応じてセル再選択を行う手段と、
を有し、マクロセルの周波数とクローズドセルの周波数が同じであった場合において、所定の再選択条件が満たされた場合、在圏セルに隣接するクローズドセルが待受を行うセルとして再選択され、前記所定の再選択条件は、前記クローズドセルからの信号の品質が、前記在圏セルからの信号の品質より所定の閾値以上良い状態が、所定の再選択期間以上続くことであり、
マクロセルの周波数とクローズドセルの周波数が異なっていた場合において、所定の適性条件が満たされた場合、在圏セルに隣接するクローズドセルが待受を行うセルとして再選択され、前記所定の適性条件は、前記クローズドセルからの信号の品質が、所定の閾値以上であることである、移動通信システム。
【請求項７】
不特定のユーザがアクセスできるマクロセルと、特定のユーザしかアクセスできないクローズドセルとが混在する移動通信システムで使用されるユーザ装置であって、
在圏セルからの信号の品質をアイドル状態で測定する手段と、
在圏セルからの信号の品質が所定の閾値を下回る場合に隣接セルからの信号の品質を測定する手段と、
測定結果に応じてセル再選択を行う手段と、
を有し、マクロセルの周波数とクローズドセルの周波数が異なり、
所定の第１及び第２適性条件双方が満たされた場合、在圏セルに隣接するマクロセルが待受を行うセルとして再選択され、
前記所定の第１適性条件は、どのクローズドセルからの信号の品質も、所定の閾値以下であることであり、
前記所定の第２適性条件は、少なくとも１つのマクロセルからの信号の品質が、所定の閾値以上であるユーザ装置。
【請求項８】
不特定のユーザがアクセスできるマクロセルと、特定のユーザしかアクセスできないクローズドセルとが混在する移動通信システムにおけるユーザ装置で使用される方法であって、
在圏セルからの信号の品質をアイドル状態で測定するステップと、
在圏セルからの信号の品質が所定の閾値を下回る場合に隣接セルからの信号の品質を測定するステップと、
測定結果に応じてセル再選択を行うステップと、
を有し、マクロセルの周波数とクローズドセルの周波数が異なり、
所定の第１及び第２適性条件双方が満たされた場合、在圏セルに隣接するマクロセルが待受を行うセルとして再選択され、
前記所定の第１適性条件は、どのクローズドセルからの信号の品質も、所定の閾値以下であることであり、
前記所定の第２適性条件は、少なくとも１つのマクロセルからの信号の品質が、所定の閾値以上である方法。
【請求項９】
不特定のユーザがアクセスできるマクロセルと、特定のユーザしかアクセスできないクローズドセルとが混在する移動通信システムであって、当該移動通信システムで使用されるユーザ装置は、
在圏セルからの信号の品質をアイドル状態で測定する手段と、
在圏セルからの信号の品質が所定の閾値を下回る場合に隣接セルからの信号の品質を測定する手段と、
測定結果に応じてセル再選択を行う手段と、
を有し、マクロセルの周波数とクローズドセルの周波数が異なり、
所定の第１及び第２適性条件双方が満たされた場合、在圏セルに隣接するマクロセルが待受を行うセルとして再選択され、
前記所定の第１適性条件は、どのクローズドセルからの信号の品質も、所定の閾値以下であることであり、
前記所定の第２適性条件は、少なくとも１つのマクロセルからの信号の品質が、所定の閾値以上である移動通信システム。
【請求項１０】
不特定のユーザがアクセスできるマクロセルと、特定のユーザしかアクセスできないクローズドセルとが混在する移動通信システムで使用されるユーザ装置であって、
在圏セルからの信号の品質をアイドル状態で測定する手段と、
在圏セルからの信号の品質が所定の閾値を下回る場合に隣接セルからの信号の品質を測定する手段と、
測定結果に応じてセル再選択を行う手段と、
を有し、マクロセルの周波数とクローズドセルの周波数が異なっており、
所定の再選択条件が満たされた場合、在圏セルに隣接するクローズドセルが待受を行うセルとして再選択され、
前記所定の再選択条件は、前記隣接するクローズドセルからの信号の品質が、在圏セルからの信号の品質よりも所定の閾値以上良い状態が、所定のセル再選択期間以上続くことであり、
前記所定の再選択条件が満たされなかった場合であって、所定の第１及び第２適性条件双方が満たされた場合、在圏セルに隣接するマクロセルが待受を行うセルとして再選択され、
前記所定の第１適性条件は、どのクローズドセルからの信号の品質も、所定の閾値以下であることであり、
前記所定の第２適性条件は、少なくとも１つのマクロセルからの信号の品質が、所定の閾値以上であるユーザ装置。
【請求項１１】
前記第１及び第２適性条件双方が満たされたか否かを確認する前に、前記クローズドセルが当該ユーザ装置にとってアクセス可能か否かが確認される請求項１０記載のユーザ装置。
【請求項１２】
前記第１及び第２適性条件双方が満たされたか否かを確認した後に、前記クローズドセルが当該ユーザ装置にとってアクセス可能か否かが確認される請求項１０記載のユーザ装置。
【請求項１３】
不特定のユーザがアクセスできるマクロセルと、特定のユーザしかアクセスできないクローズドセルとが混在する移動通信システムにおけるユーザ装置で使用される方法であって、
在圏セルからの信号の品質をアイドル状態で測定するステップと、
在圏セルからの信号の品質が所定の閾値を下回る場合に隣接セルからの信号の品質を測定するステップと、
測定結果に応じてセル再選択を行うステップと、
を有し、マクロセルの周波数とクローズドセルの周波数が異なっており、
所定の再選択条件が満たされた場合、在圏セルに隣接するクローズドセルが待受を行うセルとして再選択され、
前記所定の再選択条件は、前記隣接するクローズドセルからの信号の品質が、在圏セルからの信号の品質よりも所定の閾値以上良い状態が、所定のセル再選択期間以上続くことであり、
前記所定の再選択条件が満たされなかった場合であって、所定の第１及び第２適性条件双方が満たされた場合、在圏セルに隣接するマクロセルが待受を行うセルとして再選択され、
前記所定の第１適性条件は、どのクローズドセルからの信号の品質も、所定の閾値以下であることであり、
前記所定の第２適性条件は、少なくとも１つのマクロセルからの信号の品質が、所定の閾値以上である方法。
【請求項１４】
不特定のユーザがアクセスできるマクロセルと、特定のユーザしかアクセスできないクローズドセルとが混在する移動通信システムであって、当該移動通信システムで使用されるユーザ装置は、
在圏セルからの信号の品質をアイドル状態で測定する手段と、
隣接セルからの信号の品質を測定する手段と、
測定結果に応じてセル再選択を行う手段と、
を有し、マクロセルの周波数とクローズドセルの周波数が異なっており、
所定の再選択条件が満たされた場合、在圏セルに隣接するクローズドセルが待受を行うセルとして再選択され、
前記所定の再選択条件は、前記隣接するクローズドセルからの信号の品質が、在圏セルからの信号の品質よりも所定の閾値以上良い状態が、所定のセル再選択期間以上続くことであり、
前記所定の再選択条件が満たされなかった場合であって、所定の第１及び第２適性条件双方が満たされた場合、在圏セルに隣接するマクロセルが待受を行うセルとして再選択され、
前記所定の第１適性条件は、どのクローズドセルからの信号の品質も、所定の閾値以下であることであり、
前記所定の第２適性条件は、少なくとも１つのマクロセルからの信号の品質が、所定の閾値以上である移動通信システム。
【手続補正２】
【補正対象書類名】明細書
【補正対象項目名】００１０
【補正方法】変更
【補正の内容】
【００１０】
本発明の一形態によるユーザ装置は、
不特定のユーザがアクセスできるマクロセルと、特定のユーザしかアクセスできないクローズドセルとが混在する移動通信システムで使用されるユーザ装置であって、
在圏セルからの信号の品質をアイドル状態で測定する手段と、
隣接セルからの信号の品質を測定する手段と、
測定結果に応じてセル再選択を行う手段と、
を有し、マクロセルの周波数とクローズドセルの周波数が同じであった場合において、所定の再選択条件が満たされた場合、在圏セルに隣接するクローズドセルが待受を行うセルとして再選択され、前記所定の再選択条件は、前記クローズドセルからの信号の品質が、前記在圏セルからの信号の品質より所定の閾値以上良い状態が、所定の再選択期間以上続くことであり、
マクロセルの周波数とクローズドセルの周波数が異なっていた場合において、所定の適性条件が満たされた場合、在圏セルに隣接するクローズドセルが待受を行うセルとして再選択され、前記所定の適性条件は、前記クローズドセルからの信号の品質が、所定の閾値以上であることである、ユーザ装置である。